(57)【特許請求の範囲】
【請求項１】
第１キャビネットの外周縁部と第２キャビネットの外周縁部との間にパッキンを密閉状に挟み込んで防塵又は防水された携帯端末本体を有する携帯端末において、
上記パッキンは、透明又は半透明の環状の弾性部と、該弾性部の少なくとも一部に一体に設けられた透明又は半透明の樹脂部とを備え、
上記携帯端末本体における上記パッキンよりも内側に該パッキンに光を入光させる照明部を備え、
上記携帯端末本体の外周縁部から上記パッキンの少なくとも一部が露出し、上記照明部からの光が上記パッキンの露出した部分に導かれるように構成され、
上記樹脂部が上記弾性部よりも上記照明部と反対側に配置され、該樹脂部の少なくとも一部が露出しており、
上記弾性部に入光された光が露出した上記樹脂部に導かれて発光するように構成されている
ことを特徴とする携帯端末。
【請求項２】
第１キャビネットの外周縁部と第２キャビネットの外周縁部との間にパッキンを密閉状に挟み込んで防塵又は防水された携帯端末本体を有する携帯端末において、
上記パッキンは、透明又は半透明の環状の弾性部と、該弾性部の少なくとも一部に一体に設けられた透明又は半透明の樹脂部とを備え、
上記携帯端末本体における上記パッキンよりも内側に該パッキンに光を入光させる照明部を備え、
上記携帯端末本体の外周縁部から上記パッキンの少なくとも一部が露出し、上記照明部からの光が上記パッキンの露出した部分に導かれるように構成され、
上記樹脂部が上記弾性部よりも上記照明部側に配置され、
上記弾性部よりもさらに上記照明部と反対側に外側樹脂部が配置され、該外側樹脂部が露出しており、
上記樹脂部を介して上記弾性部に導かれた光がさらに上記外側樹脂部まで導かれて発光するように構成されている
ことを特徴とする携帯端末。
【請求項３】
請求項１又は２に記載の携帯端末において、
上記照明部と上記パッキンとの間には、導光板が配置され、該導光板により該照明部からの光が上記パッキンに導かれるように構成されている
ことを特徴とする携帯端末。
【請求項４】
請求項１乃至３のいずれか１つに記載の携帯端末において、
上記樹脂部が上記弾性部に一体成形されることで、上記パッキンが第１キャビネットの外周縁部又は上記第２キャビネットの外周縁部に設けた溝部の凹凸に対応した立体形状を保っている
ことを特徴とする携帯端末。
【発明の詳細な説明】
【技術分野】
【０００１】
本発明は、防塵又は防水構造の携帯端末に関するものである。
【背景技術】
【０００２】
従来より、携帯電話機に代表される携帯端末では、水回りの仕事中に使用したり、誤って水の中に落としたりすることを考慮して防水構造とすることが知られている。
【０００３】
例えば、特許文献１のものでは、透明なゴムで製作された膜状のパッキンよりなる防水部材の外表面側に導光板をインサート成形し、液晶表示パネル等の内装品を覆っている。これにより、防水機能を果たすだけでなく、照光部において導光板からの照光によりロゴ等を表示できるようにしている。
【先行技術文献】
【特許文献】
【０００４】
【特許文献１】特開２００８−１０６９３２号公報
【発明の概要】
【発明が解決しようとする課題】
【０００５】
しかしながら、上記特許文献１の携帯端末では、防水部材が筐体内部の大部分を覆う膜状であるため、部品のサイズが大きく、また、携帯端末全体の厚さが厚くなるのは避けられないという問題があった。
【０００６】
本発明は、かかる点に鑑みてなされたものであり、その目的とするところは、防塵又は防水の携帯端末を、環状のパッキンを利用して簡単な構成で組み立てやすくコンパクトで装飾性の高いものとすることにある。
【課題を解決するための手段】
【０００７】
上記の目的を達成するために、この発明では、透過性のある環状の弾性部に透過性のある樹脂を一体成形した。
【０００８】
具体的には、本発明では、第１キャビネットの外周縁部と第２キャビネットの外周縁部との間にパッキンを密閉状に挟み込んで防塵又は防水された携帯端末本体を有する携帯端末を前提とし、
上記パッキンは、透明又は半透明の環状の弾性部と、該弾性部の少なくとも一部に一体に設けられた透明又は半透明の樹脂部とを備え、
上記携帯端末本体における上記パッキンよりも内側に該パッキンに光を入光させる照明部を備え、
上記携帯端末本体の外周縁部から上記パッキンの少なくとも一部が露出し、上記照明部からの光が上記パッキンの露出した部分に導かれるように構成されている。
【０００９】
上記の構成によると、従来より用いられる環状の弾性部よりなるパッキンを透過性のあるものとし、その弾性部に同じく透過性のある樹脂部を一体成形したことにより、このパッキンによって照明部からの光を導いて発光させることができる。このため、簡単な構成で好みの位置に発光する部分を設けることができる。
【００１０】
特に、第１の発明において、
上記樹脂部が上記弾性部よりも上記照明部と反対側に配置され、該樹脂部の少なくとも一部が露出しており、
上記弾性部に入光された光が露出した上記樹脂部に導かれて発光するように構成されている。
【００１１】
上記の構成によると、少なくとも発光が必要な箇所にだけ弾性部に樹脂部を一体成形すればよく、また、硬質な樹脂部が携帯端末本体から露出するので、外観がよく、耐久性が高い。また、樹脂部の形状や材料を光を拡散させるものとすれば、広範囲を発光させることができる。
【００１２】
さらに特に第２の発明において、
上記樹脂部が上記弾性部よりも上記照明部側に配置され、
上記弾性部よりもさらに上記照明部と反対側に外側樹脂部が配置され、該外側樹脂部が露出しており、
上記樹脂部を介して上記弾性部に導かれた光がさらに上記外側樹脂部まで導かれて発光するように構成されている。
【００１３】
上記の構成によると、発光が必要な箇所における弾性部の内側に樹脂部を一体成形すると共に、その弾性部の外側に外側樹脂部を設けて硬質な外側樹脂部を携帯端末本体から露出させることにより、外観がよく、耐久性が高くなる。また、内側の樹脂部により照明部からの光が効率よく導かれるので、導光板を設けなくてもよくなる。外側樹脂部の形状や材料を光を拡散させるものとすれば、広範囲を発光させることができる。
【００１４】
第３の発明では、第１又は第２の発明において、
上記照明部と上記パッキンとの間には、導光板が配置され、該導光板により該照明部からの光が上記パッキンに導かれるように構成されている。
【００１５】
上記の構成によると、導光板を設けることで、１つの照明部であっても広い範囲での発光が容易となる。
【００１６】
第４の発明では、第１乃至第３のいずれか１つの発明において、
上記樹脂部が上記弾性部に一体成形されることで、上記パッキンが第１キャビネットの外周縁部又は上記第２キャビネットの外周縁部に設けた溝部の凹凸に対応した立体形状を保っている。
【００１７】
上記の構成によると、樹脂部によってパッキンを立体形状とすることで、パッキンを溝部に極めて嵌め込みやすくなる。また、パッキンの露出させる部分の位置決めが容易である。
【発明の効果】
【００１８】
以上説明したように、本発明によれば、携帯端末本体の外周縁部からパッキンの少なくとも一部が露出し、照明部からの光をパッキンの露出した部分に導くようにしたことにより、防塵又は防水の携帯端末を、環状のパッキンを利用して簡単な構成で組み立てやすくコンパクトで装飾性の高いものとすることができる。
【図面の簡単な説明】
【００１９】
【図１】本発明の実施形態に係る携帯電話機の導光構造を示す断面図である。
【図２】携帯電話機の表面側を示す斜視図である。
【図３】携帯電話機の裏面側を示す斜視図である。
【図４】第２の筐体を表面側から見た分解斜視図である。
【図５】第２の筐体を裏面側から見た分解斜視図である。
【図６】第２キャビネット、防水パッキン及びＬＥＤを示す正面図である。
【図７】図２の一部拡大正面図である。
【図８】実施形態の変形例１を示す図１相当図である。
【図９】実施形態の変形例２を示す図１相当図である。
【図１０】実施形態の参考例を示す図１相当図である。
【発明を実施するための形態】
【００２０】
以下、本発明の実施形態を図面に基づいて説明する。
【００２１】
図２及び図３は、本発明の実施形態の携帯端末としての携帯電話機１を示し、この携帯電話機１は、例えば表面に表示部（図示せず）を有する第１の筐体３と、表面に操作部４（図４に示す）を有する携帯端末本体としての第２の筐体５とがヒンジ部６を介して折畳み開閉自在に連結されている。
【００２２】
図４及び図５に示すように、第２の筐体５は、表側の第１キャビネット７と、裏側の第２キャビネット８とを備え、それらが重ね合わされてビス等で結合されるようになっている。第１キャビネット７と第２キャビネット８とは、例えば樹脂成形品よりなる。
【００２３】
図６に示すように、第２キャビネット８の外周縁部には、溝部９が連続して形成され、この溝部９に防水パッキン１０が嵌め込まれている。一方、図５に示すように、第１キャビネット７の外周縁部には、溝部９に対向する位置に、この防水パッキン１０を押さえる防水リブ１１がほぼ全周にわたって形成されている。第１キャビネット７と第２キャビネット８とが重ね合わされて結合されるときに、溝部９に嵌め込まれた防水パッキン１０を溝部９と防水リブ１１とで密閉状に挟み込むことにより、第２の筐体５での防水機能が発揮されるようになっている。なお、第２キャビネットの裏側は、蓋又は化粧部材１８で覆われている。
【００２４】
図１及び図７に拡大して示すように、防水パッキン１０は、透明又は半透明の環状の弾性部としてのシリコーンゴム１２を備えている。なお、弾性部はシリコーンゴム１２ではない透明又は半透明のウレタンゴムなどの弾性部材で構成してもよい。弾性部の透明度は、高い方が望ましいが少なくとも後述するＬＥＤ２０の光を透過する程度のものでよい。シリコーンゴム１２は、溝部９の形状に対応した形状を有し、このシリコーンゴム１２には、透明又は半透明の樹脂部としてのポリカーボネイト樹脂１３が一体成形されている。なお、樹脂部はポリカーボネイト樹脂１３ではない透明又は半透明の弾性部材で構成してもよい。樹脂部の透明度も高い方がよいが少なくともＬＥＤ２０の光を透過する程度のものでよく、外観を重視して彩色したものでもよい。本実施形態では、シリコーンゴム１２の形状を安定させるために環状のシリコーンゴム１２の外側（内側でもよい）にポリカーボネイト樹脂１３がほぼ全周に一体成形されている。なお、ポリカーボネイト樹脂１３をほぼ全周に設けるのではなく、一部にのみ一体成形してもよい。
【００２５】
図１に示すように、第２の筐体５における防水パッキン１０よりも内側には、基板１４が嵌め込まれるようになっている。基板１４は、第１キャビネット７又は第２キャビネット８のいずれに設けてもよい。この基板１４には、防水パッキン１０に光を入光する照明部としてのＬＥＤ２０が設けられている。具体的には、図６に示すように、基板１４の上側（ヒンジ部６側）には、左右に間隔をあけて一対のＬＥＤ２０が設けられている。ＬＥＤ２０の色、サイズ、個数等は特に限定されない。このＬＥＤ２０よりも上方の溝部９を構成する壁面には、ＬＥＤ２０に対応させて入光孔１５が開口されている。また、図２及び図３にも示すように、溝部９の上側の第２キャビネット８の上壁には、一対の露出孔１６が開口されている。例えば、この露出孔１６は矩形状とするが、その大きさや形状は特に限定されない。そして、この露出孔１６に対応するシリコーンゴム１２の外側には、直方体状の発光部１７が一体成形されている。例えば、発光部１７近傍だけ透明度の高いポリカーボネイト樹脂１３で構成し、他の部分は透過性の低いポリカーボネイト樹脂１３や他の樹脂で構成してもよいが、成形性を考えれば、これらは、同じ材料とするのがよい。
【００２６】
このように構成したことにより、防水パッキン１０を溝部９に嵌め込むときには、シリコーンゴム１２のほぼ全周に薄く一体成形されたポリカーボネイト樹脂１３により立体形状が保たれているので容易に位置決めされる。これにより、露出孔１６に発光部１７が容易に嵌り込んで、露出孔１６から露出する。
【００２７】
そして、ＬＥＤ２０が光ると、その光が入光孔１５を通り、シリコーンゴム１２に導入され、さらに発光部１７に導かれて発光部１７が発光する。このように、従来より防水用に用いられる環状のシリコーンゴム１２よりなる防水パッキン１０を透過性のあるものとし、そのシリコーンゴム１２に同じく透過性のあるポリカーボネイト樹脂１３を一体成形したことにより、この防水パッキン１０によってＬＥＤ２０からの光が導かれて発光する。
【００２８】
また、発光が必要な箇所にだけシリコーンゴム１２にポリカーボネイト樹脂１３を一体成形することもできる。硬質なポリカーボネイト樹脂１３が第２の筐体５（第２キャビネット８）から露出するので、外観がよく、耐久性が高い。さらに、ポリカーボネイト樹脂１３の形状や材料を光を拡散させるものとすれば、広範囲を発光させることができる。
【００２９】
したがって、本実施形態に係る携帯電話機１によると、第２の筐体５の外周縁部から防水パッキン１０の少なくとも一部を露出させ、ＬＥＤ２０からの光を発光部１７に導くようにしたことにより、環状の防水パッキン１０を利用して簡単な構成で、組み立てやすくコンパクトで装飾性の高い携帯電話機１とすることができる。
【００３０】
−変形例１−
図８は本発明の実施形態の変形例１を示し、導光板２１を配置した点で上記実施形態と異なる。なお、以下の各変形例及び参考例では、図１〜図７と同じ部分については同じ符号を付してその詳細な説明は省略する。
【００３１】
本変形例では、ＬＥＤ２０とシリコーンゴム１２との間に導光板２１が配置されている。例えば、導光板２１は、ポリカーボネイト樹脂、アクリル樹脂などの導光損失の少ない樹脂に溝加工を施したものよりなる。この導光板２１によりＬＥＤ２０からの光を導いたり、拡散したりして防水パッキン１０に導く。導光板２１により、光を導入できる範囲を広げることができるので、少ないＬＥＤ２０によって発光部１７の大きさを大きくすることもできる。
【００３２】
−変形例２
図９は本発明の実施形態の変形例２を示し、導光板２１の代わりとなるポリカーボネイト樹脂１３を一体成形した点で上記実施形態と異なる。
【００３３】
つまり、シリコーンゴム１２の外側だけでなく内側（ＬＥＤ２０側）にもポリカーボネイト樹脂１３を一体成形し、この内側のポリカーボネイト樹脂１３に導光板２１に代わる役割を持たせている。内側のポリカーボネイト樹脂１３によりＬＥＤ２０からの光がシリコーンゴム１２に効果的に導かれ、外側樹脂部となる発光部１７が確実に発光する。このように導光板２１を設けなくてもよいので、部品を増加させることなく光の導入が容易となる。硬質な外側樹脂部を第２の筐体５から露出させることにより、外観がよくなると共に、耐久性が高くなる。
【００３４】
−参考例−
図１０は本発明の実施形態の参考例を示し、シリコーンゴム１２の位置とポリカーボネイト樹脂１３の位置とが内外反対となっている点で上記実施形態と異なる。
【００３５】
本参考例では、ＬＥＤ２０の光が入光孔１５を通過してポリカーボネイト樹脂１３に導入されるようになっている。このポリカーボネイト樹脂１３の部分を、図１０のようにＬＥＤ２０側へ伸ばすことにより、光を導入しやすくすることもできる。ポリカーボネイト樹脂１３に導入された光は、シリコーンゴム１２の露出した発光部１７に導かれてこの発光部１７が発光する。
【００３６】
本参考例では、軟質のシリコーンゴム１２が外観に露出するので、第２の筐体５と材質が異なって、異種材を見せるという外観的特徴を持たせることもできる。
【００３７】
（その他の実施形態）
本発明は、上記実施形態について、以下のような構成としてもよい。
【００３８】
すなわち、上記実施形態では、携帯電話機１は、折畳み式のものとし、携帯端末本体を第２の筐体５としたが、携帯端末本体を第１の筐体３としたり、ストレートタイプの場合は、その１つの筐体を携帯端末本体としたりしてもよい。
【００３９】
上記実施形態では、防水パッキン１０は、第２の筐体５の外周全体を囲むものとしたが、一部を囲むものとしてもよい。また、発光部１７は一部を露出する構成としたが、外周全体に露出させることも可能で、全体を露出させた場合、外周全体を発光させることも可能となる。また、パッキンは、防水機能を有さず、防塵機能のみを有するものでもよい。
【００４０】
上記実施形態では、照明部はＬＥＤ２０としたが、これに限定されず、他の照明部品を使用してもよい。
【００４１】
上記実施形態では、携帯端末は、携帯電話機としたが、ＰＨＳ（Personal Handy-phone System ）、ＰＤＡ(Personal Digital Assistant)、スマートフォン、パソコン、モバイルツール、電子辞書、電卓、ゲーム機等であってもよい。
【００４２】
なお、以上の実施形態は、本質的に好ましい例示であって、本発明、その適用物や用途の範囲を制限することを意図するものではない。
【産業上の利用可能性】
【００４３】
以上説明したように、本発明は、防塵又は防水構造の携帯電話機などの携帯端末について有用である。
【符号の説明】
【００４４】
１      携帯電話機（携帯端末）
５      第２の筐体（携帯端末本体）
７      第１キャビネット
８      第２キャビネット
９      溝部
１０      防水パッキン（パッキン）
１２      シリコーンゴム（弾性部）
１３      ポリカーボネイト樹脂（樹脂部、外側樹脂部）
２０      ＬＥＤ（照明部）
２１      導光板
【図１】
0005852481.tif 000002
【図２】
0005852481.tif 000003
【図３】
0005852481.tif 000004
【図４】
0005852481.tif 000005
【図５】
0005852481.tif 000006
【図６】
0005852481.tif 000007
【図７】
0005852481.tif 000008
【図８】
0005852481.tif 000009
【図９】
0005852481.tif 000010
【図１０】
0005852481.tif 000011